(57)【特許請求の範囲】
【請求項１】
ケースに設けられたコネクタ装着部の傍らにカバー部材が回動支軸回りで回動可能に取り付けられていると共に、前記カバー部材が一方の回動端側で前記コネクタ装着部から離れて位置されて該コネクタ装着部へのコネクタの着脱を許容する一方、前記カバー部材が他方の回動端側で前記コネクタに係合して前記コネクタ装着部からの前記コネクタの抜け出しを阻止する電気接続箱において、
前記ケースには前記カバー部材と係合して該カバー部材を前記一方の回動端側に位置決めする係止突起が設けられていると共に、
前記カバー部材には案内突起が形成されている一方、前記ケースには一対の位置決め壁部が形成されており、該一対の位置決め壁部で前記案内突起を挟むことにより前記カバー部材を前記回動支軸の軸方向で前記係止突起に対して位置決めすると共に、
前記係止突起が前記回動支軸よりも前記コネクタ装着部から離隔した位置に設けられており、
前記案内突起に設けられた係合部が前記係止突起に係止することで、前記カバー部材が前記一方の回動端位置に位置決め状態で保持されるようになっている
ことを特徴とする電気接続箱。
【請求項２】
前記案内突起が前記一対の位置決め壁部の何れか一方に圧接される
請求項１に記載の電気接続箱。
【請求項３】
前記カバー部材を前記他方の回動端側に位置決め保持するロック機構が前記回動支軸の軸方向で前記カバー部材の一方の側のみに形成されている
請求項１又は２に記載の電気接続箱。
【請求項４】
前記案内突起が前記一対の位置決め壁部の何れか一方に圧接されることによって、前記カバー部材が前記回動支軸の軸方向で前記ロック機構から離隔する方向に変位される
請求項３に記載の電気接続箱。
【請求項５】
前記一対の位置決め壁部における前記案内突起側の端縁部が、前記案内突起側に行くに連れて前記一対の位置決め壁部の対向距離が次第に大きくなるテーパ形状とされている
請求項１〜４の何れか１項に記載の電気接続箱。
【発明の詳細な説明】
【技術分野】
【０００１】
本発明は、自動車等に搭載される電気接続箱に係り、特に、コネクタ装着部に装着されたコネクタの抜け出しを阻止するカバー部材を備えた電気接続箱に関する。
【背景技術】
【０００２】
従来から、自動車の電気接続箱において、エアバック用コネクタ等の重要なコネクタが装着されるコネクタ装着部には、コネクタの抜け出しを阻止するカバー部材を併設してコネクタ接続の安全性を高める構造が採用されている。例えば、特開２０００−３２３２３２号公報（特許文献１）に開示の如き構造のものが知られている。
【０００３】
このような電気接続箱は、カバー部材の不使用時には、カバー部材とコネクタ装着部の間に介在されたばね部材の付勢力を利用して、カバー部材をコネクタ装着部から離れた一方の回動端に保持するようになっている。これにより、誤ってコネクタ装着部にカバー部材が係止されることを阻止しつつ、コネクタ装着部へのコネクタの着脱が許容されるようになっている。また、コネクタ装着部にコネクタを装着した際には、ばね部材の付勢力に抗してカバー部材を他方の回動端まで移動させてコネクタに係合させることにより、コネクタのコネクタ装着部からの抜け出しを規制するようになっている。
【０００４】
さらに、カバー部材がコネクタ装着部から離れた一方の回動端に保持された状態で、隣接する他の電気部品装着部上を覆うように配設されている場合には、カバー部材に阻害されて他の電気部品装着部に部品装着ができないことから、コネクタ装着部へのコネクタ装着およびカバー部材の係合が未完了であることが検知できる。それ故、カバー部材の不使用時には、カバー部材をコネクタ装着部から離れた一方の回動端に安定して保持することが重要となる。
【０００５】
ところで、カバー部材の不使用時において、カバー部材を一方の回動端に保持するためにばね部材を採用することは、部品点数の増加や構造の複雑化を招くことから、より簡素な保持機構が求められていた。そこで、特開２００４−１５８３７４号公報（特許文献２）には、カバー部材とコネクタ装着部の間に位置して、カバー部材の回動軌跡上に突出する乗り越え可能な係止突起を設け、該係止突起に対するカバー部材の係止により、カバー部材のコネクタ装着部側への移動を阻止する保持機構が提案されている。
【０００６】
ところが、カバー部材は、回動支軸を介してケースに回動可能に組み付けられている。それ故、カバー部材に回動支軸の軸方向でガタが生じると、係止突起とカバー部材との係合状態が解除されてしまい、一方の回動端に安定して保持出来なくなるおそれがあった。
【先行技術文献】
【特許文献】
【０００７】
【特許文献１】特開２０００−３２３２３２号公報
【特許文献２】特開２００４−１５８３７４号公報
【発明の概要】
【発明が解決しようとする課題】
【０００８】
本発明は、上述の事情を背景に為されたものであって、その解決課題は、少ない部品点数で、不使用時のカバー部材をコネクタ装着部から離れた一方の回動端側に安定して保持することの出来る、新規な構造の電気接続箱を提供することにある。
【課題を解決するための手段】
【０００９】
本発明の第一の態様は、ケースに設けられたコネクタ装着部の傍らにカバー部材が回動支軸回りで回動可能に取り付けられていると共に、前記カバー部材が一方の回動端側で前記コネクタ装着部から離れて位置されて該コネクタ装着部へのコネクタの着脱を許容する一方、前記カバー部材が他方の回動端側で前記コネクタに係合して前記コネクタ装着部からの前記コネクタの抜け出しを阻止する電気接続箱において、前記ケースには前記カバー部材と係合して該カバー部材を前記一方の回動端側に位置決めする係止突起が設けられていると共に、前記カバー部材には案内突起が形成されている一方、前記ケースには一対の位置決め壁部が形成されており、該一対の位置決め壁部で前記案内突起を挟むことにより前記カバー部材を前記回動支軸の軸方向で前記係止突起に対して位置決めすると共に、前記係止突起が前記回動支軸よりも前記コネクタ装着部から離隔した位置に設けられており、前記案内突起に設けられた係合部が前記係止突起に係止することで、前記カバー部材が前記一方の回動端位置に位置決め状態で保持されるようになっていることを、特徴とする。
【００１０】
本発明によれば、ケースに設けた係止突起をカバー部材に係合することによって、カバー部材の不使用時には、カバー部材を一方の回動端側に安定して保持することが出来る。そして、ケースとカバー部材の一方に設けた案内突起を、ケースとカバー部材の他方に設けた一対の位置決め壁部の間に挿入することによって、カバー部材を回動支軸の軸方向で係合突起に対して位置決めすることが出来る。これにより、カバー部材のケースに対する回動支軸の軸方向でのガタツキを抑えて、カバー部材を係合突起に対して位置決めすることが出来る。その結果、カバー部材の不使用時には、カバー部材を係合突起に安定して係合して、コネクタ装着部から離れた一方の回動端側に安定して保持することが出来る。
【００１１】
そして、本発明によれば、係合突起の係合でカバー部材を一方の回動端側に保持することから、カバー部材とケースとの間に、カバー部材を一方の回動端側に付勢するばね部材のような特別な部材を用いることも不要とされる。更に、カバー部材とケースに、案内突起と位置決め壁部を形成するのみでカバー部材を係合突起に位置決めすることが可能となる。これにより、部品点数の大幅な増加を招くこと無く、カバー部材を一方の回動端側に保持出来ると共に、カバー部材を係合突起に位置決めすることが出来る。従って、より好適には、係合突起がケースに一体形成されると共に、案内突起と位置決め壁部が、ケースとカバー部材の一方および他方にそれぞれ一体形成される。
【００１２】
また、本発明においては、前記案内突起が、前記カバー部材の前記一方の回動端から前記他方の回動端に至る回動範囲の全体に亘って、前記一対の位置決め壁部間への挿入状態とされている態様が、好適に採用される。このようにすれば、回動支軸の軸方向でのカバー部材のガタツキを回動範囲の全体に亘って阻止して、安定的な回動操作を行なうことが出来る。
【００１３】
本発明の第二の態様は、前記第一の態様に記載のものにおいて、前記案内突起が前記一対の位置決め壁部の何れか一方に圧接されるものである。
【００１４】
本態様によれば、案内突起が一方の位置決め壁部に隙間無く接触される。これにより、カバー部材を回動支軸の軸方向でより精度良く位置決めすることが出来て、カバー部材の回動支軸方向でのガタツキをより低減することが出来る。
【００１５】
本発明の第三の態様は、前記第一又は第二の態様に記載のものにおいて、前記カバー部材を前記他方の回動端側に位置決め保持するロック機構が前記回動支軸の軸方向で前記カバー部材の一方の側のみに形成されているものである。
【００１６】
本態様によれば、カバー部材がロック機構の反対側に開放形状とされる。これにより、例えばカバー部材の両側にロック機構が設けられている場合のように、コネクタ装着部の大きさを両側のロック機構の間に入り得る大きさに制限することが不要とされる。その結果、カバー部材よりも大きな長手寸法を有するコネクタ装着部に対して、カバー部材をコネクタ装着部の長手方向で部分的に被せることにより、カバー部材をコネクタ装着部の長手方向に沿ってスペース効率良く配設することが出来る。そして、ロック機構が回動支軸の軸方向でカバー部材の片側他方に形成されていないことにより、カバー部材の回動支軸の軸方向でのガタツキが大きくなるおそれがあるが、係合突起と位置決め壁部による位置決め作用とロック機構が協働することによって、カバー部材のガタツキを抑えることが出来る。
【００１７】
本発明の第四の態様は、前記第三の態様に記載のものにおいて、前記案内突起が前記一対の位置決め壁部の何れか一方に圧接されることによって、前記カバー部材が前記回動支軸の軸方向で前記ロック機構から離隔する方向に変位されるものである。
【００１８】
本態様によれば、ケース側に設けられた案内突起又は位置決め壁部からカバー部材に設けられた案内突起又は位置決め壁部に及ぼされる接触圧によって、カバー部材が回動支軸の軸方向でロック機構から離隔する方向に変位される。これにより、ロック機構におけるカバー部材のガタツキを軽減してより安定的にロックすることが出来て、カバー部材を他方の回動端側により安定して保持することが出来る。
【００１９】
本発明の第五の態様は、前記第一〜第四の何れか１つの態様に記載のものにおいて、前記一対の位置決め壁部における前記案内突起側の端縁部が、前記案内突起側に行くに連れて前記一対の位置決め壁部の対向距離が次第に大きくなるテーパ形状とされているものである。このようにすれば、案内突起を一対の位置決め壁部間に容易に挿入することが出来る。
【発明の効果】
【００２０】
本発明によれば、カバー部材と係合してカバー部材をコネクタ装着部から離れた一方の回動端側に位置決めする係止突起をケースに設ける一方、カバー部材とケースの一方に案内突起を形成すると共に、他方に一対の位置決め壁部を形成して、それら一対の位置決め壁部で案内突起を挟むことにより、カバー部材を回動支軸の軸方向で係合突起に対して位置決めするようにした。これにより、係合突起とカバー部材をより確実且つ安定的に係合することが出来て、少ない部品点数で、カバー部材を一方の回動端側により確実且つ安定的に保持することが出来る。
【図面の簡単な説明】
【００２１】
【図１】本発明の一実施形態としての電気接続箱の要部の平面図。
【図２】図１に示した要部の側面図。
【図３】図１におけるＩＩＩ−ＩＩＩ断面図。
【図４】図１におけるＩＶ−ＩＶ断面図。
【図５】図１に示したケースの要部の平面図。
【発明を実施するための形態】
【００２２】
以下、本発明の実施形態について、図面を参照しつつ説明する。
【００２３】
先ず、図１〜図４に、本発明の一実施形態としての電気接続箱１０の要部を示す。電気接続箱１０のケース１２には第一のコネクタ装着部１４と第二のコネクタ装着部１６が隙間を隔てて隣接して形成されており、それら第一のコネクタ装着部１４と第二のコネクタ装着部１６の間に、カバー部材１８が回動可能に組み付けられている。なお、図１（ａ）および図２（ａ）はカバー部材１８の開状態を、図１（ｂ）および図２（ｂ）はカバー部材１８の閉状態を示している。また、以下の説明において、上下方向とは、特に断りの無い限り、図２における上下方向を言う。
【００２４】
第一のコネクタ装着部１４は、従来公知のように、ケース１２から上方に突出する略長手矩形の周壁形状とされたフード部２０を有しており、フード部２０で囲まれた領域がコネクタ収容領域２２とされている。コネクタ収容領域２２内には、電気接続箱１０内に収容されてエアバック回路に接続する接続端子（図示省略）がケース１２に貫設された端子挿通孔２４を通じて突出されている。そして、図１（ｂ）に仮想線で示すように、エアバック回路を構成するワイヤーハーネスの端末に設けられたエアバックコネクタ２６がフード部２０内に嵌め入れられてコネクタ収容領域２２内に収容されると共に、コネクタ収容領域２２内に突出された接続端子と接続される。
【００２５】
一方、第二のコネクタ装着部１６は、ケース１２から上方に突出する略長手矩形の周壁形状とされたフード部２８を有しており、フード部２８で囲まれた領域がコネクタ収容領域３０とされている。コネクタ収容領域３０内には、電気接続箱１０内に収容されてエアバック回路とは別の電気回路に接続する接続端子（図示省略）がケース１２に貫設された端子挿通孔３２を通じて突出されている。そして、図１（ｂ）に仮想線で示すように、エアバック回路とは別の電気回路を構成するワイヤーハーネスの端末に設けられたコネクタ３６がフード部２８内に嵌め入れられてコネクタ収容領域３０内に収容されると共に、コネクタ収容領域３０内に突出された接続端子と接続される。また、フード部２８において、カバー部材１８が配設される側の角部には切欠部３７が形成されており、ケース１２から上方への突出寸法がやや小さくされている。
【００２６】
これら第一のコネクタ装着部１４と第二のコネクタ装着部１６が、長手方向に直交する方向で適当な間隔を隔てて並列して形成されている。なお、これらコネクタ装着部１４，１６の長手方向で、第一のコネクタ装着部１４の長手方向一方の端部３８は、第二のコネクタ装着部１６の長手方向一方の端部４０よりも突出されている。
【００２７】
そして、第一のコネクタ装着部１４と第二のコネクタ装着部１６の間には、カバー取付部４２が設けられている。図５に示すように、カバー取付部４２には、一対の軸受部４４ａ，４４ｂがケース１２に一体形成されている。軸受部４４ａ，４４ｂは、ケース１２から上方に突出する略板形状を有している。第一および第二のコネクタ装着部１４，１６の長手方向で、一方の軸受部４４ａが第一のコネクタ装着部１４の端部３８に位置して第一のコネクタ装着部１４のフード部２０と連結されていると共に、他方の軸受部４４ｂが第二のコネクタ装着部１６の端部４０に位置して該端部４０と第一のコネクタ装着部１４のフード部２０との間に跨って形成されている。これにより、軸受部４４ａと軸受部４４ｂが、第一のコネクタ装着部１４の長手方向で所定距離を隔てて対向されている。
【００２８】
各軸受部４４ａ，４４ｂには、厚さ方向（図４中、左右方向）に貫通する円形の軸受孔４６がそれぞれ形成されている。そして、軸受部４４ａ，４４ｂの対向面上に開口して軸受孔４６から上方に延びる導入溝４８が、軸受部４４ａ，４４ｂのケース１２からの突出端面上に開口されて形成されている。
【００２９】
さらに、図５等に示したように、カバー取付部４２には、係止壁部５０が形成されている。係止壁部５０は、ケース１２から上方に突出する略矩形板形状をもってケース１２に一体形成されており、第二のコネクタ装着部１６の端部４０から、第二のコネクタ装着部１６の長手方向で外方に延び出されて、第一のコネクタ装着部１４のフード部２０と対向されている。なお、係止壁部５０の第二のコネクタ装着部１６からの延出先端部には、係止壁部５０に直交して広がる三角板形状の補強板部５２が形成されている。そして、係止壁部５０のケース１２からの突出先端部分には、カバー部材１８側に突出する係止突起５４が形成されている。係止突起５４は、係止壁部５０の幅方向（図５中、上下方向）の略中央部分に形成されており、後述するカバー部材１８の係合部７０の回動軌跡上に位置されている。本実施形態における係止突起５４は、側面視（図３等参照）において、下半分が略半円形状、上半分が略三角形状の組合せ形状とされているが、係止突起５４の具体的形状は限定されるものではなく、半円形上や三角形状、矩形状等でも良い。
【００３０】
そして、カバー取付部４２には、一対の位置決め壁部５６ａ，５６ｂが設けられている。位置決め壁部５６ａ，５６ｂは、ケース１２から上方に突出すると共に、第一のコネクタ装着部１４のフード部２０から係止壁部５０に向けて延び出す略矩形の板形状をもって、ケース１２に一体形成されている。これら位置決め壁部５６ａ，５６ｂは、軸受部４４ａ，４４ｂの間に位置して、軸受部４４ａ，４４ｂの対向方向で互いに所定の隙間を隔てて対向位置されており、軸受部４４ａ，４４ｂの対向方向に直交する方向に互いに略平行に延び出されている。なお、位置決め壁部５６ａ，５６ｂは、一方の端部がフード部２０に連結されることで強度が向上されているが、フード部２０に連結することなく、独立して形成されていても良い。また、位置決め壁部５６ａ，５６ｂの他方との対向面において、後述するカバー部材１８の案内突起６８側となる上端部には、上方に行くにつれて互いの離隔距離が大きくなるテーパ面５８，５８が形成されている。
【００３１】
これら位置決め壁部５６ａ，５６ｂは、位置決め壁部５６ａが軸受部４４ａの近位に、位置決め壁部５６ｂが軸受部４４ｂの近位に形成されている。そして、図４に示すように、位置決め壁部５６ａと軸受部４４ａとの対向距離：ｄ１と、位置決め壁部５６ｂと軸受部４４ｂとの対向距離：ｄ２は僅かに異ならされており、対向距離：ｄ１が対向距離：ｄ２に比して僅かに大きくされている。
【００３２】
このようなカバー取付部４２に、カバー部材１８が取り付けられている。カバー部材１８は合成樹脂から形成された一体成形品とされている。カバー部材１８には、矩形枠形状とされた部品本体６０の幅方向（図４中、左右方向）の両端部から突出する一対の支持板部６２，６２が形成されている。これら支持板部６２，６２の部品本体６０からの突出端部分には、カバー部材１８の幅方向（図４中、左右方向）の両外側に突出する略円柱形状の回動支軸６４，６４がそれぞれ形成されている。なお、各回動支軸６４の外周面には、支持板部６２からの突出寸法が、支持板部６２における部品本体６０からの突出方向で先端側（図４中、下方）に行くに連れて次第に小さくなる傾斜面６６が形成されており、後述する軸受部４４ａ，４４ｂへの挿入が容易とされている。
【００３３】
また、部品本体６０の幅方向中央部分には、支持板部６２，６２と同方向に突出する案内突起６８が形成されている。案内突起６８は、部品本体６０の幅方向（図４中、左右方向）で両支持板部６２，６２から互いに等しい距離だけ離隔して、両支持板部６２，６２の中央に位置されている。案内突起６８の幅寸法は、位置決め壁部５６ａ，５６ｂの対向距離よりも小さくされる。また、図３に示すように、案内突起６８は、支持板部６２，６２の部品本体６０からの突出方向に直交する方向にも突出されており、この突出部分によって、係合部７０が形成されている。係合部７０は、部品本体６０の幅方向中央部分から突出する突片形状とされている。
【００３４】
さらに、部品本体６０の幅方向の一方（図４中、左方）には、ロック片７２が形成されている。図２に示すように、ロック片７２は、部品本体６０から係合部７０と反対側に突出する略板形状とされており、部品本体６０からの突出先端部には、略矩形のロック孔７４が貫設されている。
【００３５】
さらに、部品本体６０の上端部には、天板部７６が形成されている。天板部７６は略長手板形状を有しており、部品本体６０から、ロック片７２と同方向に突出されている。更に、図４に示すように、天板部７６は、部品本体６０の幅方向（図４中、左右方向）で、部品本体６０からロック片７２の反対側に大きく延び出されている。
【００３６】
このようなカバー部材１８は、係合部７０を係止突起５４側に位置した状態で、回動支軸６４，６４が軸受部４４ａ，４４ｂの導入溝４８，４８の開口部に重ねられる。そして、カバー部材１８がケース１２側に押し込まれることにより、回動支軸６４，６４に形成された傾斜面６６，６６の案内作用によって、支持板部６２，６２が互いに接近する方向に撓まされて、回動支軸６４，６４が導入溝４８，４８内に挿入される。続いて、カバー部材１８がケース１２側に更に押し込まれることによって、回動支軸６４，６４が軸受部４４ａ，４４ｂの軸受孔４６，４６に挿入されて、支持板部６２，６２が撓み状態から復帰される。これにより、カバー部材１８が、回動支軸６４，６４回りで回動可能にケース１２に取り付けられて、第一のコネクタ装着部１４に対して接近および離隔可能とされている。
【００３７】
また、カバー部材１８の回動支軸６４，６４を軸受部４４ａ，４４ｂに組み付けるに際して、カバー部材１８の案内突起６８が、ケース１２の一対の位置決め壁部５６ａ，５６ｂ間に挿入される。位置決め壁部５６ａ，５６ｂにテーパ面５８，５８が形成されていることによって、案内突起６８の挿入が円滑に行われるようになっている。
【００３８】
このような電気接続箱１０にエアバックコネクタ２６およびコネクタ３６を接続する場合には、先ず、図１（ａ）に示したように、カバー部材１８を、第二のコネクタ装着部１６側に回動して、第一のコネクタ装着部１４から離れた一方の回動端に位置させる。図３に示したように、カバー部材１８は、係合部７０が係止突起５４に係止されることにより、一方の回動端位置に位置決め状態で保持される。
【００３９】
図１（ａ）に示したように、一方の回動端位置において、カバー部材１８の天板部７６は、第一のコネクタ装着部１４のコネクタ収容領域２２上から外れて位置される。これにより、第一のコネクタ装着部１４へのエアバックコネクタ２６の着脱が許容される。それと共に、一方の回動端位置において、天板部７６は、第二のコネクタ装着部１６におけるフード部２８の切欠部３７に入り込まされるようにして、第二のコネクタ装着部１６におけるコネクタ収容領域３０の上方に位置される。これにより、カバー部材１８が一方の回動端に位置する状態では、第二のコネクタ装着部１６へのコネクタ３６の着脱がカバー部材１８で阻害されるようになっている。
【００４０】
そして、カバー部材１８を一方の回動端に位置した状態で、エアバックコネクタ２６を第一のコネクタ装着部１４に装着した後に、カバー部材１８を第一のコネクタ装着部１４側に回動させることにより、カバー部材１８の係合部７０が係止突起５４を乗り越える。更に、図２（ｂ）に示すように、カバー部材１８のロック片７２が、第一のコネクタ装着部１４の端部３８に突出されたロック爪７８を乗り越えて、ロック孔７４とロック爪７８が係合されることにより、カバー部材１８が第一のコネクタ装着部１４に係合されて、他方の回動端に位置決め保持される。このように、本実施形態においては、ロック片７２とロック爪７８によって、ロック機構が構成されている。
【００４１】
図１（ｂ）に示したように、他方の回動端位置において、カバー部材１８の天板部７６が、第一のコネクタ装着部１４におけるコネクタ収容領域２２の上方に位置される。これにより、天板部７６がエアバックコネクタ２６に被せられて、車両の振動等によりエアバックコネクタ２６が第一のコネクタ装着部１４から抜け出そうとした場合には、天板部７６がエアバックコネクタ２６と係合することにより、エアバックコネクタ２６の抜け出しが阻止される。更に、他方の回動端位置において、天板部７６が第二のコネクタ装着部１６におけるコネクタ収容領域３０上から外れて位置される。これにより、第二のコネクタ装着部１６へのコネクタ３６の着脱が可能とされて、第二のコネクタ装着部１６にコネクタ３６が装着される。
【００４２】
本実施形態に従う構造とされた電気接続箱１０によれば、カバー部材１８に一体形成された係合部７０を、ケース１２に一体形成された係止突起５４で係止することによって、部品点数の増加を招くことなく、カバー部材１８を一方の回動端位置に安定して保持することが出来る。
【００４３】
そして、カバー部材１８に形成した案内突起６８をケース１２の位置決め壁部５６ａ，５６ｂの間に挿入して位置決め壁部５６ａ，５６ｂで挟むことにより、カバー部材１８を、回動支軸６４，６４の軸方向（図４中、左右方向）で、係止突起５４に対して位置決めすることが出来る。これにより、カバー部材１８の回動支軸６４，６４の軸方向でのガタツキを抑えて、係合部７０を係止突起５４により確実に係合させることが出来ると共に、係合部７０と係止突起５４との係合状態を安定的に維持することが出来る。その結果、カバー部材１８を、一方の回動端により安定的に保持することが出来る。
【００４４】
特に、案内突起６８および位置決め壁部５６ａ，５６ｂがカバー部材１８およびケース１２のそれぞれに一体形成されていることから、部品点数の増加を招くことなく、カバー部材１８を一方の回動端位置に安定的に保持することが出来る。更に案内突起６８が、カバー部材１８の一方の回動端から他方の回動端に至る回動範囲の全体に亘って、位置決め壁部５６ａ，５６ｂ間への挿入状態が維持されるようになっている。これにより、カバー部材１８の回動操作の全体に亘って、カバー部材１８の回動支軸６４，６４の軸方向でのガタツキを抑えることが出来て、より安定的な回動操作を行うことが出来る。
【００４５】
加えて、図４に示したように、軸受部４４ａと位置決め壁部５６ａとの離隔距離：ｄ１が、軸受部４４ｂと位置決め壁部５６ｂとの離隔距離：ｄ２よりも僅かに大きくされている。これにより、カバー部材１８がケース１２に組み付けられるに際して、案内突起６８が、位置決め壁部５６ａ，５６ｂの間で位置決め壁部５６ａ側に僅かに偏倚されて、位置決め壁部５６ａに圧接状態とされる。その結果、案内突起６８の位置決め壁部５６ａに対するガタツキを低減することが出来て、カバー部材１８を回動支軸６４，６４の軸方向でより精度良く位置決めすることが出来る。
【００４６】
さらに、カバー部材１８には、ロック機構を構成するロック片７２が回動支軸６４，６４の軸方向（図４中、左右方向）で片方のみに形成されている。これにより、天板部７６をロック片７２の反対側に延びる長手形状とすることが出来る。それと共に、カバー部材１８がロック片７２の反対方向に開放形状とされていることから、天板部７６を、第一のコネクタ装着部１４におけるフード部２０の長手方向に沿って部分的に重ねることが可能とされており、カバー部材１８を第一のコネクタ装着部１４と第二のコネクタ装着部１６の間にスペース効率良く配設することが出来る。
【００４７】
そして、ロック機構７２，７８が回動支軸６４，６４の軸方向でカバー部材１８の片方のみに形成されていることから、カバー部材１８に回動支軸６４，６４の軸方向でガタツキが生じ、ロック片７２がロック爪７８の形成されたフード部２０から離隔して（図４中、右方から左方に変位して）、ロック片７２とロック爪７８の間にガタツキが生じ易くなるおそれがある。しかし、本実施形態によれば、案内突起６８が位置決め壁部５６ａ，５６ｂ間に挿入されていることによって、カバー部材１８の回動支軸６４，６４の軸方向の変位を抑えることが出来て、これら案内突起６８と位置決め壁部５６ａ，５６ｂの位置決め作用と、ロック片７２とロック爪７８による係合作用とが協働して、ロック機構７２，７８が片方にしか形成されていない場合でも、カバー部材１８のガタツキを抑えることが出来る。特に本実施形態においては、位置決め壁部５６ａ，５６ｂが、回動支軸６２，６２の軸方向で、カバー部材１８の案内突起６８に対して、ロック機構７２，７８と反対側に僅かに偏倚されている。これにより、案内突起６８が、回動支軸６２，６２の軸方向でロック機構７２，７８に近位の位置決め壁部５６ａに圧接されて、位置決め壁部５６ａからの接触圧により、カバー部材１８が回動支軸６２，６２の軸方向でロック機構７２，７８から離隔する方向（図４中、右方）に僅かに変位される。その結果、ロック片７２を第一のコネクタ装着部１４のフード部２０に押し付けることが出来て、ロック片７２とロック爪７８との係合状態をより安定的に維持することが出来る。
【００４８】
以上、本発明の実施形態について詳述したが、本発明はその具体的な記載によって限定されない。例えば、案内突起をケース側に、一対の位置決め壁部をカバー部材側に形成しても良い。
【００４９】
また、カバー部材は、必ずしもケースに係合されてロックされるものに限定されることはなく、例えばコネクタにロック爪を設けて、コネクタ装着部に装着されたコネクタのロック爪にカバー部材を係合してロックするようにしても良い。
【符号の説明】
【００５０】
１０：電気接続箱、１２：ケース、１４：第一のコネクタ装着部、１６：第二のコネクタ装着部、１８：カバー部材、２６：エアバックコネクタ、４４ａ，ｂ：軸受部、５４：係止突起、５６ａ，ｂ：位置決め壁部、５８：テーパ面、６４：回動支軸、６８：案内突起、７０：係合部、７２：ロック片（ロック機構）、７８：ロック爪（ロック機構）
【図１】
0005636909.tif 000002
【図２】
0005636909.tif 000003
【図３】
0005636909.tif 000004
【図４】
0005636909.tif 000005
【図５】
0005636909.tif 000006